(57)【要約】      （修正有）【課題】折畳み／伸長の切替えが容易で、別の部材を要することなく伸長状態を保持することが可能なヒンジおよびそれを用いたディスプレイを提供する。【解決手段】第一部材１０と第二部材２０とを具備するヒンジ１であって、第一部材が、第一の柱接合部１１と、第一の接合部１４と、第二の接合部１５とを有しており、第二部材が、第二の柱接合部２１と、第三の接合部２４と、第四の接合部２５とを有しており、第二の接合部と第四の接合部とが嵌合してヒンジの回動軸部となっており、第一の柱接合部と第二の柱接合部とが折畳まれた状態においては、第一の接合部と第三の接合部とが嵌合しておらず、第一の柱接合部と第二の柱接合部とが伸張した状態においては、第一の接合部と第三の接合部とが嵌合している。【選択図】図３
0003216395.tif 000002
【実用新案登録請求の範囲】
【請求項１】
第一部材と第二部材とを具備するヒンジであって、
前記第一部材が、第一の柱接合部と、第一の接合部と、第二の接合部とを有しており、
前記第一の接合部が前記第一の柱接合部の端部に設けられており、
前記第二の接合部が、前記第一の接合部から前記第一の柱接合部と直角をなして伸びる方向に位置しており、
前記第二部材が、第二の柱接合部と、第三の接合部と、第四の接合部とを有しており、
前記第三の接合部が前記第二の柱接合部の端部に設けられており、
前記第四の接合部が、前記第三の接合部から前記第二の柱接合部と直角をなして伸びる方向に位置しており、
前記第二の接合部と前記第四の接合部とが嵌合してヒンジの回動軸部となっており、
前記第一の柱接合部と前記第二の柱接合部とが折畳まれた状態においては、前記第一の接合部と前記第三の接合部とが嵌合しておらず、
前記第一の柱接合部と前記第二の柱接合部とが伸張した状態においては、前記第一の接合部と前記第三の接合部とが嵌合している、
ことを特徴とするヒンジ。
【請求項２】
前記第一の接合部および前記第二の接合部、または前記第三の接合部および前記第四の接合部、のいずれか一方が１枚の板状部材の両面に形成された凸部であり、他方が前記１枚の板状部材を挟む２枚の板状部材に形成された凹部であることを特徴とする請求項１に記載のヒンジ。
【請求項３】
前記凸部の縁の一部が斜面状に切り欠かれており、前記凹部の、前記凸部が嵌入される方向が斜面状に切り欠かれていることを特徴とする請求項２に記載のヒンジ。
【請求項４】
前記第一の柱接合部および前記第二の柱接合部が、先端が細まっており、十字形状の断面を有することを特徴とする請求項１から請求項３のいずれかに記載のヒンジ。
【請求項５】
請求項１から４のいずれかに記載のヒンジを用いたことを特徴とするディスプレイ。
【考案の詳細な説明】
【技術分野】
【０００１】
本考案は、立看板等のディスプレイに用いるヒンジおよびそのヒンジを用いたディスプレイに関する。
【背景技術】
【０００２】
従来から、広告、宣伝などの目的で屋外などに設置する安価なディスプレイとして、垂直方向と水平方向に伸びる２本のパイプ、若しくは、垂直方向から水平方向に曲がって伸びる１本のパイプで形成される平面に布などを貼って訴求面とした旗や、４本のパイプで四角形を組み、四角形で囲まれた部分に布などを貼って訴求面とした立看板など形態のディスプレイがある。
【０００３】
この形態のディスプレイの取り扱い性の向上のため、ディスプレイの長手方向のパイプを入れ子構造として釣竿のように伸縮自在としたり、長手方向のパイプの略中央部にヒンジを用い、ヒンジを折畳むことで長手方向の長さを小さくしたりする従来技術が知られている。
【０００４】
例えば特許文献１には、縦方向のパイプの略中央部にヒンジを用いた立看板装置が開示され、ヒンジを折畳むことで立看板を半分に折畳むことができ、搬送時、保管時の取り扱いを容易に能率よく行えるとしている。
【０００５】
しかしながら特許文献１の立看板装置では、ヒンジを伸長させた際に、伸長させた状態を保持するためにパイプに設けた孔と嵌合する突起を有するストッパ片の装着を必要とするため、折畳み／伸長の切替え作業が煩雑で、ストッパ片を取り外したときに別に保管する必要があって面倒であり、また余計なコストともなるという問題点があった。
【先行技術文献】
【特許文献】
【０００６】
【特許文献１】特開平１０−６９２４５号公報
【考案の概要】
【考案が解決しようとする課題】
【０００７】
本考案は、上記のような従来技術の課題を解決するためなされたもので、折畳み／伸長の切替えが容易で、別の部材を要することなく伸長状態を保持することが可能で、立看板などのディプレイに適用する際にパイプに装着するのが容易なヒンジおよびそのヒンジを使用したディスプレイを提供することを課題とする。
【課題を解決するための手段】
【０００８】
上記のような課題を解決するための手段として請求項１に記載の考案は、
第一部材と第二部材とを具備するヒンジであって、
前記第一部材が、第一の柱接合部と、第一の接合部と、第二の接合部とを有しており、
前記第一の接合部が前記第一の柱接合部の端部に設けられており、
前記第二の接合部が、前記第一の接合部から前記第一の柱接合部と直角をなして伸びる方向に位置しており、
前記第二部材が、第二の柱接合部と、第三の接合部と、第四の接合部とを有しており、
前記第三の接合部が前記第二の柱接合部の端部に設けられており、
前記第四の接合部が、前記第三の接合部から前記第二の柱接合部と直角をなして伸びる方向に位置しており、
前記第二の接合部と前記第四の接合部とが嵌合してヒンジの回動軸部となっており、
前記第一の柱接合部と前記第二の柱接合部とが折畳まれた状態においては、前記第一の接合部と前記第三の接合部とが嵌合しておらず、
前記第一の柱接合部と前記第二の柱接合部とが伸張した状態においては、前記第一の接合部と前記第三の接合部とが嵌合している、
ことを特徴とするヒンジである。
【０００９】
また請求項２に記載の考案は、
前記第一の接合部および前記第二の接合部、または前記第三の接合部および前記第四の接合部、のいずれか一方が１枚の板状部材の両面に形成された凸部であり、他方が前記１枚の板状部材を挟む２枚の板状部材に形成された凹部であることを特徴とする請求項１に記載のヒンジである。
【００１０】
また請求項３に記載の考案は、
前記凸部の縁の一部が斜面状に切り欠かれており、前記凹部の、前記凸部が嵌入される方向が斜面状に切り欠かれていることを特徴とする請求項２に記載のヒンジである。
【００１１】
また請求項４に記載の考案は、
前記第一の柱接合部および前記第二の柱接合部が、先端が細まっており、十字形状の断面を有することを特徴とする請求項１から請求項３のいずれかに記載のヒンジである。
【００１２】
また請求項５に記載の考案は、
請求項１から４のいずれかに記載のヒンジを用いたことを特徴とするディスプレイである。
【考案の効果】
【００１３】
請求項１の考案によれば、第一部材の第二の接合部と第二部材の第四の接合部が嵌合して回動軸部となってヒンジが回動することで、第一の柱接合部と第二の柱接合部を折畳んだ状態と伸長した状態を容易に切替えでき、折畳んだ状態では第一の接合部と第三の接合部は嵌合せずに自由に回動させることができ、伸長した状態では第一の接合部と第三の接合部が嵌合することにより別部材を要することなく伸長した状態が確実に保持できるヒンジが得られる。
【００１４】
また、請求項２の考案によれば、第一から第四の接合部が、１枚の板状部材の両面に形成された凸部と、２枚の板状部材に形成された凹部とが組み合わさるような態様で形成され、凸部と凹部が嵌合することで接合されるため、接合が確実に行われると共に、凸部と凹部は形成するのが容易であり、耐久性にも優れるヒンジが得られる。
【００１５】
また、請求項３の考案によれば、凸部と凹部を嵌合させる際に、凸部と凹部の互いに斜面状に切り欠かれた部分が対向する方向から嵌入させることができ、無理なく円滑に嵌入が行えるヒンジが得られる。
【００１６】
また、請求項４の考案によれば、第一の柱接合部および第二の柱接合部をディスプレイのパイプに挿入したときに、先端が細まって十字形状の断面を有することで挿入が容易で、パイプの内面に確実に圧接されて固定が行えるヒンジが得られる。
【００１７】
また、請求項５の考案によれば、搬送、収納、保管に便利な折畳んだ状態と、掲示する際の伸長した状態を容易に、かつ確実に切り替えることができ、付加する別部材等も不要なディスプレイが得られる。
【図面の簡単な説明】
【００１８】
【図１】本考案のヒンジの第一部材の外観図である。
【図２】本考案のヒンジの第二部材の外観図である。
【図３】本考案のヒンジの折畳み状態の外観図である。
【図４】本考案のヒンジにパイプを取り付けて折畳んだ状態と伸長した状態の外観図である。
【図５】本考案のディスプレイのフレームの模式図である。
【図６】本考案の第二の形態のヒンジの第一部材の外観図である。
【図７】本考案の第二の形態のヒンジの第二部材の外観図である。
【図８】本考案の第二の形態のヒンジの外観図である。
【図９】本考案の第二の形態のヒンジの第一の柱接合部と第二の柱接合部にそれぞれパイプを装着した状態を示した図である。
【考案を実施するための形態】
【００１９】
以下、本考案のヒンジの実施の形態を、図面を参照しながら詳細に説明する。なお本考案は以下に示す実施形態に限定されるものではない。また、本考案のヒンジは第一部材と第二部材からなり、以下では図１に示す部材を第一部材とし、図２に示す部材を第二部材とするが、いずれを第一部材とし、第二部材とするかは任意である。
【００２０】
図１は本考案のヒンジの第一部材１０の外観図であり、それぞれ正面、左右両側面、天地両面の側から見た図である。第一部材１０は、第一の柱接合部１１の一端に２枚の板状部材１３が平行に立設されている。第一の柱接合部１１は十字形状の断面を有し、先端部１２が細くなったいわゆる先細り形状で伸びている。２枚の板状部材１３には第一の接合部１４である凹部が、ここでは円形の貫通口の形状で設けられている。また、第一の接合部１４から第一の柱接合部１１が伸びる方向と直角の方向に、第二の接合部１５である凹部が設けられ、同様に円形の貫通口の形状となっている。それぞれの凹部は、２枚の板状部材１３の両方の対向する位置に設けられている。
【００２１】
第一の接合部１４の凹部の縁は一部が斜面をなすように切り欠かれ、このためその部分では板状部材１３に斜面１６が形成されている。斜面１６が形成されている方向は、ヒンジが回動されたときに、後述する第二部材２０の第三の接合部２４である凸部が嵌入される方向であり、図１に矢印Ｂで示した方向となる。
【００２２】
また、第二の接合部１５の凹部の縁も一部が斜面をなすように切り欠かれ、その部分に斜面１７が形成されている。斜面１７が形成されている方向は、第一部材１０と図２に示す第二部材２０を一体に組み合わせる際に、後述する第二部材２０の第四の接合部２５である凸部が嵌入される方向であり、図１に矢印Ｃで示した方向である。
【００２３】
図２は本考案のヒンジの第二部材２０の外観図であり、図１と同じく正面、左右両側面、天地両面の側から見た図である。第二部材２０は、第二の柱接合部２１の一端に１枚の板状部材２３が立設されている。第二の柱接合部２１は十字形状の断面を有し、先端部２２が細くなったいわゆる先細り形状で伸びている。１枚の板状部材２３には第三の接合部２４である凸部が、ここでは円柱状の突起の形状で設けられている。また、第三の接合部２４から第二の柱接合部２１が伸びる方向と直角の方向に、第四の接合部２５である凸部が設けられ、同様に円柱状の突起の形状となっている。それぞれの凸部は、１枚の板状部材２３の両面の対向する位置に設けられている。
【００２４】
第三の接合部２４の凸部の縁は一部が斜面２６をなすように切り欠かれている。斜面２６が形成されている方向は、ヒンジ１が回動されたときに、前述した第一部材１０の第一の接合部１４である凹部に嵌入される方向であり、矢印Ｄで示した方向となる。
【００２５】
また、第四の接合部２５の凸部の縁も一部が斜面２７をなすように切り欠かれている。斜面２７が形成されている方向は、第一部材１０と第二部材２０を一体に組み合わせる際に、第一部材１０の第二の接合部１５である凹部が嵌入される方向であり、図２に矢印Ｅで示した方向である。
【００２６】
ここで、第一部材１０の凹部と第二部材２０の凸部は略同一の外形寸法を有し、隙間なく嵌合する態様となっている。
【００２７】
第一部材１０および第二部材２０の材質は特に限定するものではなく、金属、木材などでも良いが、プラスチック樹脂を用いると加工が容易で必要な強度や耐久性に合わせて材料を選択できるため好ましく、また射出成型技術などにより効率的に製造できるため好ましい。
【００２８】
図３は、本考案のヒンジの外観図である。ヒンジ１は第一部材１０の第二の接合部１５と第二部材２０の第四の接合部２５を嵌合させて一体とされたものであり、図３では折畳んだ状態を示している。上方の図からも分かるように、第一部材１０の２枚の板状部材１３の間に、第二部材２０の１枚の板状部材２３が挟みこまれた態様で第二の接合部１５と第四の接合部２５が嵌合されている。
【００２９】
第二の接合部１５の凹部と第四の接合部２５の凸部を嵌合させる際は、第二の接合部１５と第四の接合部２５を向かい合わせ、白抜き矢印のように近接させ、第二の接合部１５の斜面１７の部分に第四の接合部２５の凸部２５が斜面２７から嵌入する様にすることで、スムーズに嵌合させることができる。
【００３０】
第二の接合部１５と第四の接合部２５が嵌合すると、この部位を中心にヒンジ１が回動する回動軸部となり、第一の柱接合部１１と第二の柱接合部２１を互いに自在に回動させるヒンジとしての機能が発揮される。
【００３１】
図４は、ヒンジ１の第一の柱接合部１１と第二の柱接合部２１にそれぞれパイプ３０を装着した状態を示したものである。左側の折畳んだ状態から、ヒンジ１を回動させることで右側の伸長した状態にすることができ、第一部材１０の第一の接合部１４の凹部と第二部材２０の第三の接合部２４の凸部を嵌合させることで伸長した状態が保持される。
【００３２】
また第一の接合部１４の凹部と第三の接合部２４の凸部を嵌合させるときは、ヒンジ１を回動させて第一の接合部１４と第三の接合部２４を近接させ、第一の接合部１４の斜面１６の部分に第三の接合部２４の凸部が斜面２６から嵌入する様にすることで、スムーズに嵌合させることができる。
【００３３】
図５は、本考案のヒンジ１の第一の柱接合部１１と第二の柱接合部２１にそれぞれパイプ３０を装着したもの２本を縦方向の支柱とし、横桟パイプ４０を適宜装着して四角形を組んだもので、四角形で囲まれた部分を訴求面としたディスプレイ２である。四角形で囲まれた部分には布などを貼って所望の情報を掲示することができる。
【００３４】
ヒンジ１が縦方向の略中央に来るようにすると、ヒンジ１を折畳むことで右側の図のようにディスプレイ２の縦方向の長さを半分にすることができ、運搬、収納や保管時の取り扱い性を向上させることができる。
【００３５】
図６から図９に本考案のヒンジの別形態の例を示す。
図６は本考案の第二の形態のヒンジの第一部材５０の外観図であり、それぞれ正面、左右
両側面、天地両面の側から見た図である。第一部材５０は、第一の柱接合部５１の一端に第一の接合部５４である爪部が設けられ、先端に後述する第三の接合部と係合する爪５８が設けられている。第一の柱接合部５１は筒状の断面を有し、下端部５２がパイプを挿入する開口となっており、上端部５７は閉塞されて上端面となっている。また、第一の接合部５４から第一の柱接合部５１が伸びる方向と直角の方向に、２枚の板状部材５３が平行に立設され、２枚の板状部材５３には第二の接合部５５である凹部が、ここでは円形の貫通口の形状で設けられている。それぞれの凹部は、２枚の板状部材５３の両方の対向する位置に設けられている。
【００３６】
第二の接合部５５の凹部の縁は一部が斜面をなすように切り欠かれ、このためその部分では板状部材５３に斜面５６が形成され、その先端が開口している。斜面５６が形成されている方向は、後述する第二部材６０の第四の接合部６５である凸部が嵌入される方向であり、図６に矢印Ｇで示した方向となる。
【００３７】
第一の柱接合部５１の内面側には、パイプが挿入されたときにパイプを抜け難くするための稜部５９が３本、筒軸の中心から互いに１２０°の角度をなして第一の柱接合部５１の筒軸方向に設けられている。
【００３８】
図７は本考案の第二の形態のヒンジの第二部材６０の外観図であり、図６と同じく正面、左右両側面、天地両面の側から見た図である。第二部材６０は、第二の柱接合部６１の一端に第三の接合部６４が設けられ、その先端がフック６８となっている。第二の柱接合部６１は筒状の断面を有し、下端部６２がパイプを挿入する開口となっており、上端部６７は閉塞されて上端面となっている。第三の接合部６４の先端のフック６８は前述の第一の接合部５４の爪５８と係合する。また、第三の接合部６４から第二の柱接合部６１が伸びる方向と直角の方向に、１枚の板状部材６３が立設されている。１枚の板状部材６３の両面には第四の接合部６５である凸部が設けられ、円柱状の突起の形状となっている。それぞれの凸部は、１枚の板状部材６３の両面の対向する位置に設けられている。
【００３９】
第四の接合部６５の凸部の縁は一部が斜面６６をなすように切り欠かれている。斜面６６が形成されている方向は、前述の第一部材５０の第二の接合部５４である凹部に嵌入させる方向となる。
【００４０】
また、第二の柱接合部６１の内面側にも、パイプが挿入されたときにパイプを抜け難くするための稜部６９が３本、筒軸の中心から互いに１２０°の角度をなして第二の柱接合部６１の筒軸方向に設けられている。
【００４１】
ここで、第二の接合部５５の凹部と第四の接合部６５の凸部は略同一の外形寸法を有し、隙間なく嵌合する態様となっている。
【００４２】
第一部材５０および第二部材６０の材質は特に限定するものではなく、金属、木材などでも良いが、プラスチック樹脂を用いると加工が容易で必要な強度や耐久性に合わせて材料を選択できるため好ましく、また射出成型技術などにより効率的に製造できるため好ましい。
【００４３】
図８は、本考案の第二の形態のヒンジの外観図である。ヒンジ３は第一部材５０の第二の接合部５５と第二部材６０の第四の接合部６５を白抜き矢印の様な方向から嵌合させて一体とされたものであり、図８では折畳んだ状態を示している。右上方の図からも分かるように、第一部材５０の２枚の板状部材５３の間に、第二部材６０の１枚の板状部材６３が挟みこまれた態様で第二の接合部５５と第四の接合部６５が嵌合されている。
【００４４】
第二の接合部５５の凹部と第四の接合部６５の凸部を嵌合させる際は、図８の左側の図の様に、白抜き矢印のように近接させ、第二の接合部５５の斜面５６の部分に第四の接合部６５の凸部６５が斜面６６から嵌入する様にすることで、スムーズに嵌合させることができる。
【００４５】
第二の接合部５５と第四の接合部６５が嵌合すると、この部位を中心にヒンジ３が回動する回動軸部となり、第一の柱接合部５１と第二の柱接合部６１を互いに自在に回動させるヒンジとしての機能が発揮される。
【００４６】
図９は、ヒンジ３の第一の柱接合部５１と第二の柱接合部６１にそれぞれパイプ７０を装着した状態を示したものである。折畳んだ状態から、ヒンジ３を回動させることで伸長した状態にすることができ、第一部材５０の第一の接合部５４の爪５８と第二部材６０の第三の接合部６４のフック６８を係合させることで伸長した状態が保持される。
【００４７】
ヒンジ３も、ヒンジ１と同様にディスプレイの縦方向の支柱に装着して折畳むことで、ディスプレイの縦方向の長さを半分にすることができるのは言うまでもない。
【００４８】
本考案のヒンジの第一の柱接合部と第二の柱接合部の形態は、ここに示した様な先細りの十字形状の断面を有する様にする、パイプを筒内に挿入できる様にする、などとすると、パイプと連結し易く、パイプ内面または外面に圧接され易く好ましいが、これに限定されるものではなく、例えば先細りの円筒状、パイプ端縁を挟みこむ周溝状などでも良く、さらにパイプにネジ止めする、接着剤で接着する、パイプに溶接するなどしてパイプとの一体性を高めるなどしても良い。
【００４９】
以上説明したように、本考案のヒンジおよびそれを使用したディスプレイによれば、折畳んだ状態と伸長した状態を容易に切り替えることができ、かつ伸長した状態が別部材等を必要とせずに保持でき、ディスプレイを掲示する際には訴求面を好適に掲示でき、収納、運搬時には容易に折畳むことができて取り扱い性が良いディスプレイとすることができる。
【００５０】
なお以上説明した実施形態においては、いずれも伸長した状態と折畳んだ状態を交互に切替えられる様にしているが、一旦伸長した後は折畳まないような態様とすることも可能であり、その場合は、第一部材の第一の接合部と第二部材の第三の接合部を嵌合させる構造をより強固なものとして、容易に外れ難いものとすれば良い。
【符号の説明】
【００５１】
１、３・・・ヒンジ
２・・・ディスプレイ
１０、５０・・・第一部材
１１、５１・・・第一の柱接合部
１２、２２・・・先端部
１３、５３・・・（２枚の）板状部材
１４、５４・・・第一の接合部
１５、５５・・・第二の接合部
１６、１７、５６・・・（凹部の縁の）斜面
２０、６０・・・第二部材
２１、６１・・・第二の柱接合部
２３・・・（１枚の）板状部材
２４、６４・・・第三の接合部
２５、６５・・・第四の接合部
２６、２７、６６・・・（凸部の）斜面
３０、７０・・・パイプ
４０・・・横桟パイプ
５８・・・爪
６８・・・フック
５９、６９・・・稜部
【図１】
0003216395.tif 000003
【図２】
0003216395.tif 000004
【図３】
0003216395.tif 000005
【図４】
0003216395.tif 000006
【図５】
0003216395.tif 000007
【図６】
0003216395.tif 000008
【図７】
0003216395.tif 000009
【図８】
0003216395.tif 000010
【図９】
0003216395.tif 000011